(57)【要約】【課題】直感的で容易な操作によって複数の装置間でデーターをやり取りする作業が可能となる画像処理装置を提供する。【解決手段】画像処理装置は、タッチパネルに表示されたオブジェクトが指定されている状態でタッチパネル上の所定領域までのドラッグ操作を含む第１の操作（Ｓ１２，Ｓ１４）を受け付けると、少なくとも上記オブジェクトを示すデーターを他の装置に対して転送する（Ｓ１３，Ｓ１５）。【選択図】図９
2013020412.tif 000002
【特許請求の範囲】
【請求項１】
他の装置との間でデーターを送受信するための通信手段と、
タッチパネルと、
前記タッチパネル上での操作に応じた処理を実行するための処理手段とを備え、
前記処理手段は、前記タッチパネルに表示されたオブジェクトが指定されている状態で前記タッチパネル上の所定領域までのドラッグ操作を含む第１の操作を受け付けると、少なくとも前記オブジェクトを示すデーターを前記他の装置に対して転送する、画像処理装置。
【請求項２】
前記処理手段は、前記オブジェクトを示すデーターと前記所定領域を特定する情報とを、前記他の装置としてのサーバーに対して送信する、請求項１に記載の画像処理装置。
【請求項３】
前記処理手段は、
少なくとも前記オブジェクトを示すデーターと前記所定領域を特定する情報とを含む情報を記憶する処理と、
前記他の装置から前記オブジェクトを示すデーターの転送の要求を受け付けると、当該要求に含まれる情報と前記記憶された情報とを用いて、前記オブジェクトを示すデーターの転送の可否を認証する処理と、
前記認証成功の場合に、前記他の装置に対して前記オブジェクトを示すデーターを転送する処理とを実行する、請求項１に記載の画像処理装置。
【請求項４】
前記他の装置はタッチパネルを有し、
前記他の装置からの前記要求には前記他の装置の前記タッチパネルでの操作位置を特定する情報が含まれ、
前記処理手段の行なう認証は、前記ドラッグされた前記所定領域と前記操作位置との関係が予め規定された関係であるか否かの認証を含む、請求項３に記載の画像処理装置。
【請求項５】
前記他の装置からの前記要求には前記他の装置を特定する情報が含まれ、
前記処理手段の行なう認証は、予め規定されたドラッグされた所定領域と他の装置との対応関係に基づいて、前記ドラッグされた前記所定領域が前記他の装置に対応しているか否かの認証を含む、請求項３または４に記載の画像処理装置。
【請求項６】
前記処理手段は、
前記タッチパネルでの第２の操作を受け付けると、データーの転送を要求する信号を出力する処理と、
転送されたデーターの示すオブジェクトを前記第２の操作に指定された位置に表示する処理と、
前記オブジェクトが前記タッチパネルに表示された状態で前記タッチパネルでの第３の操作を受け付けると、処理対象のデーターの前記オブジェクトが表示された位置に対応する位置に前記オブジェクトを挿入する処理とをさらに実行する、請求項１〜５のいずれかに記載の画像処理装置。
【請求項７】
他の装置との間でデーターを送受信するための通信手段と、
タッチパネルと、
前記タッチパネル上での操作に応じた処理を実行するための処理手段とを備え、
前記処理手段は、前記タッチパネルでの第１の操作を受け付けると、前記他の装置に対してデーターの転送を要求する信号を出力する処理と、
前記他の装置から転送されたデーターの示すオブジェクトを前記第１の操作に指定された位置に表示する処理と、
前記オブジェクトが前記タッチパネルに表示された状態で前記タッチパネルでの第２の操作を受け付けると、処理対象のデーターの前記オブジェクトが表示された位置に対応する位置に前記オブジェクトを挿入する処理とを実行する、画像処理装置。
【請求項８】
それぞれタッチパネルを有する第１の装置と第２の装置との間でデーターを転送する方法であって、
前記第１の装置のタッチパネルに表示されたオブジェクトが指定されている状態で前記タッチパネルで前記タッチパネル上の所定領域までのドラッグ操作を含む第１の操作を受け付けると、前記オブジェクトを示すデーターを転送対象のデーターとして特定し、前記転送対象のデーターを含む情報を記憶するステップと、
前記第２の装置のタッチパネルで第２の操作を受け付けると、前記転送対象のデーターの転送を要求する信号を出力するステップと、
前記要求する信号に含まれる情報と前記記憶された情報とを用いて、前記オブジェクトを示すデーターの転送の可否を認証するステップと、
前記認証成功の場合に、前記第２の装置に前記オブジェクトを示すデーターが転送されるステップと、
前記転送されたデーターの示すオブジェクトを前記第２の装置のタッチパネルの前記第２の操作で指定された位置に表示するステップと、
前記オブジェクトが前記第２の装置のタッチパネルに表示された状態で前記第２の装置のタッチパネルで第３の操作を受け付けると、処理対象のデーターの前記オブジェクトが表示された位置に対応する位置に前記オブジェクトを挿入するステップとを備える、転送方法。
【請求項９】
タッチパネルを有する第１の装置からのデーターの転送処理をコンピューターに実行させるためのプログラムであって、
前記第１の装置の前記タッチパネルに表示されたオブジェクトが指定されている状態で前記タッチパネル上の所定領域までのドラッグ操作を含む第１の操作を受け付けることによって、前記第１の装置から送信される、少なくとも前記オブジェクトを示すデーターと前記所定領域を特定する情報とを含む情報を受信するステップと、
第２の装置から前記オブジェクトを示すデーターの転送の要求を受け付けるステップと、
前記第２の装置からの要求に含まれる情報と前記第１の装置からの情報とを用いて、前記オブジェクトを示すデーターの転送の可否を認証するステップと、
前記認証成功の場合に、前記第２の装置に対して前記第１の装置からの前記オブジェクトを示すデーターを転送するステップとを前記コンピューターに実行させる、転送プログラム。
【請求項１０】
タッチパネルを有する装置に、データーの転送処理を実行させるためのプログラムであって、
前記タッチパネルでの第１の操作を受け付けると、他の装置に対してデーターの転送を要求する信号を出力するステップと、
前記他の装置から転送されたデーターの示すオブジェクトを受信するステップと、
前記受信した前記データーの示すオブジェクトを、前記第１の操作に指定された位置に表示するステップと、
前記オブジェクトが前記タッチパネルに表示された状態で前記タッチパネルでの第２の操作を受け付けると、処理対象のデーターの前記オブジェクトが表示された位置に対応する位置に前記オブジェクトを挿入するステップとを前記装置に実行させる、転送プログラム。
【発明の詳細な説明】
【技術分野】
【０００１】
この発明は画像処理装置、転送方法、および転送プログラムに関し、特に、タッチパネルを有する画像処理装置、転送方法、および転送プログラムに関する。
【背景技術】
【０００２】
携帯電話機や画像形成装置などでの操作入力装置として、昨今、タッチパネルが広く採用されている。
【０００３】
タッチパネルを用いた入力操作として様々なものが提案されている。
たとえば特開２００２−１２３３６９号公報は、通常の入力と区別される予め設定された操作が行なわれた場合に、画面の表示内容をスクロールする技術を開示している。
【０００４】
また、特開２００３−３１９２４４号公報は、タッチパネル上のタッチ位置の軌跡に特定の操作を割り付ける技術を開示している。
【０００５】
このようなタッチパネル操作は直感的であって、装置に不慣れなユーザーであっても容易に操作が可能になるというメリットがある。
【０００６】
複数の装置間でデーターをやり取りする作業においても、このようなタッチパネル操作を利用して行なうことのニーズが高まっている。
【先行技術文献】
【特許文献】
【０００７】
【特許文献１】特開２００２−１２３３６９号公報
【特許文献２】特開２００３−３１９２４４号公報
【発明の概要】
【発明が解決しようとする課題】
【０００８】
しかしながら、従来の、タッチパネルを有する装置間でのデーターのやり取りは、それぞれの装置ではタッチパネル操作が可能ではあるが、転送に際しては、一方の装置において送信操作を行ない、他方の装置で受信操作および格納操作を行なう、などのそれぞれの装置での独立した操作が必要となって、操作が煩雑となる問題があった。
【０００９】
本発明はこのような問題に鑑みてなされたものであって、直感的で容易な操作によって複数の装置間でデーターをやり取りする作業が可能となる画像処理装置、転送方法、および転送プログラムを提供することを目的としている。
【課題を解決するための手段】
【００１０】
上記目的を達成するために、本発明のある局面に従うと、画像処理装置は、他の装置との間でデーターを送受信するための通信手段と、タッチパネルと、タッチパネル上での操作に応じた処理を実行するための処理手段とを備える。処理手段は、タッチパネルに表示されたオブジェクトが指定されている状態でタッチパネル上の所定領域までのドラッグ操作を含む第１の操作を受け付けると、少なくともオブジェクトを示すデーターを他の装置に対して転送する。
【００１１】
好ましくは、処理手段は、オブジェクトを示すデーターと所定領域を特定する情報とを、他の装置としてのサーバーに対して送信する。
【００１２】
好ましくは、処理手段は、少なくともオブジェクトを示すデーターと所定領域を特定する情報とを含む情報を記憶する処理と、他の装置からオブジェクトを示すデーターの転送の要求を受け付けると、当該要求に含まれる情報と記憶された情報とを用いて、オブジェクトを示すデーターの転送の可否を認証する処理と、認証成功の場合に、他の装置に対してオブジェクトを示すデーターを転送する処理とを実行する。
【００１３】
より好ましくは、上記他の装置はタッチパネルを有し、他の装置からの要求には他の装置のタッチパネルでの操作位置を特定する情報が含まれ、処理手段の行なう認証は、ドラッグされた所定領域と操作位置との関係が予め規定された関係であるか否かの認証を含む。
【００１４】
好ましくは、他の装置からの要求には他の装置を特定する情報が含まれ、処理手段の行なう認証は、予め規定されたドラッグされた所定領域と他の装置との対応関係に基づいて、ドラッグされた所定領域が他の装置に対応しているか否かの認証を含む。
【００１５】
好ましくは、処理手段は、タッチパネルでの第２の操作を受け付けると、データーの転送を要求する信号を出力する処理と、転送されたデーターの示すオブジェクトを第２の操作に指定された位置に表示する処理と、オブジェクトがタッチパネルに表示された状態でタッチパネルでの第３の操作を受け付けると、処理対象のデーターのオブジェクトが表示された位置に対応する位置にオブジェクトを挿入する処理とをさらに実行する。
【００１６】
本発明の他の局面に従うと、他の装置との間でデーターを送受信するための通信手段と、画像処理装置は、タッチパネルと、タッチパネル上での操作に応じた処理を実行するための処理手段とを備える。処理手段は、タッチパネルでの第１の操作を受け付けると、他の装置に対してデーターの転送を要求する信号を出力する処理と、他の装置から転送されたデーターの示すオブジェクトを第１の操作に指定された位置に表示する処理と、オブジェクトがタッチパネルに表示された状態でタッチパネルでの第２の操作を受け付けると、処理対象のデーターのオブジェクトが表示された位置に対応する位置にオブジェクトを挿入する処理とを実行する。
【００１７】
本発明のさらに他の局面に従うと、転送方法はそれぞれタッチパネルを有する第１の装置と第２の装置との間でデーターを転送する方法であって、第１の装置のタッチパネルに表示されたオブジェクトが指定されている状態でタッチパネルでタッチパネル上の所定領域までのドラッグ操作を含む第１の操作を受け付けると、オブジェクトを示すデーターを転送対象のデーターとして特定し、転送対象のデーターを含む情報を記憶するステップと、第２の装置のタッチパネルで第２の操作を受け付けると、転送対象のデーターの転送を要求する信号を出力するステップと、要求する信号に含まれる情報と記憶された情報とを用いて、オブジェクトを示すデーターの転送の可否を認証するステップと、認証成功の場合に、第２の装置にオブジェクトを示すデーターが転送されるステップと、転送されたデーターの示すオブジェクトを第２の装置のタッチパネルの第２の操作で指定された位置に表示するステップと、オブジェクトが第２の装置のタッチパネルに表示された状態で第２の装置のタッチパネルで第３の操作を受け付けると、処理対象のデーターのオブジェクトが表示された位置に対応する位置にオブジェクトを挿入するステップとを備える。
【００１８】
本発明のさらに他の局面に従うと、転送プログラムはタッチパネルを有する第１の装置からのデーターの転送処理をコンピューターに実行させるためのプログラムであって、第１の装置のタッチパネルに表示されたオブジェクトが指定されている状態でタッチパネル上の所定領域までのドラッグ操作を含む第１の操作を受け付けることによって、第１の装置から送信される、少なくともオブジェクトを示すデーターと所定領域を特定する情報とを含む情報を受信するステップと、第２の装置からオブジェクトを示すデーターの転送の要求を受け付けるステップと、第２の装置からの要求に含まれる情報と第１の装置からの情報とを用いて、オブジェクトを示すデーターの転送の可否を認証するステップと、認証成功の場合に、第２の装置に対して第１の装置からのオブジェクトを示すデーターを転送するステップとをコンピューターに実行させる。
【００１９】
本発明のさらに他の局面に従うと、転送プログラムタッチパネルを有する装置にデーターの転送処理を実行させるためのプログラムであって、タッチパネルでの第１の操作を受け付けると、他の装置に対してデーターの転送を要求する信号を出力するステップと、他の装置から転送されたデーターの示すオブジェクトを受信するステップと、受信したデーターの示すオブジェクトを、第１の操作に指定された位置に表示するステップと、オブジェクトがタッチパネルに表示された状態でタッチパネルでの第２の操作を受け付けると、処理対象のデーターのオブジェクトが表示された位置に対応する位置にオブジェクトを挿入するステップとを上記装置に実行させる。
【発明の効果】
【００２０】
この発明によると、タッチパネルを用いた直感的で容易な操作によって複数の装置間でデーターをやり取りする作業が可能となる。
【図面の簡単な説明】
【００２１】
【図１】実施の形態にかかる画像処理システムの構成の具体例を示す図である。
【図２】画像処理システムに含まれるＭＦＰのハードウェア構成の具体例を示す図である。
【図３】画像処理システムに含まれる携帯端末のハードウェア構成の具体例を示す図である。
【図４】画像処理システムに含まれるサーバーのハードウェア構成の具体例を示す図である。
【図５】「つまむ」操作を説明するための図である。
【図６】「離す」操作を説明するための図である。
【図７】第１の装置としての携帯端末での画面例を表わす図である。
【図８】第２の装置としてのＭＦＰでの画面例を表わす図である。
【図９】画像処理システムでの動作の流れを表わした図である。
【図１０】携帯端末の機能構成の具体例を示すブロック図である。
【図１１】ＭＦＰの機能構成の具体例を示すブロック図である。
【図１２】サーバーの機能構成の具体例を示すブロック図である。
【図１３】転送元装置でのドラッグ終端位置と転送先装置でのタッチ位置との関係の、具体例を示す図である。
【図１４】携帯端末での動作の流れを表わすフローチャートである。
【図１５】ＭＦＰでの動作の流れを表わすフローチャートである。
【図１６】サーバーでの動作の流れを表わすフローチャートである。
【図１７】第１の変形例での、転送元装置でのドラッグ終端位置と転送先装置との関係の、具体例を示す図である。
【図１８】ドラッグ終端位置と転送先装置との関係を模式的に表わす図である。
【発明を実施するための形態】
【００２２】
以下に、図面を参照しつつ、本発明の実施の形態について説明する。以下の説明では、同一の部品および構成要素には同一の符号を付してある。それらの名称および機能も同じである。
【００２３】
＜システム構成＞
図１は、本実施の形態にかかる画像処理システムの構成の具体例を示す図である。
【００２４】
図１を参照して、本実施の形態にかかる画像処理システムは、画像処理装置の一例としてのＭＦＰ（Multi-Function Peripheral）１００と、端末装置として携帯端末３００と、サーバー５００とを含み、これらがＬＡＮ（Local Area Network）などのネットワークで接続されている。
【００２５】
ネットワークは有線であっても無線であってもよい。一例として、図１に示されるように、ＭＦＰ１００とサーバー５００とが有線ＬＡＮに接続され、該有線ＬＡＮにさらに無線ＬＡＮアクセスポイント７００が含まれ、携帯端末３００が無線ＬＡＮアクセスポイント７００と無線ＬＡＮで接続されている例が挙げられる。
【００２６】
画像処理装置は操作入力を受け付けるための構成としてタッチパネルを有するものであればＭＦＰに限定されず、どのような画像処理装置であってもよい。他の例として、複写機、プリンター、ファクシミリ装置などであってもよい。
【００２７】
携帯端末３００は操作入力を受け付けるための構成としてタッチパネルを有するものであればどのような装置であってもよい。たとえば、タッチパネルを備えた携帯電話機、パーソナルコンピューター、ＰＤＡ（Personal Digital Assistants）であってもよいし、ＭＦＰなどの画像処理装置であってもよい。
【００２８】
＜ＭＦＰの構成＞
図２は、ＭＦＰ１００のハードウェア構成の具体例を示す図である。
【００２９】
図２を参照して、ＭＦＰ１００は、全体を制御するための演算装置であるＣＰＵ（Central Processing Unit）１０と、ＣＰＵ１０で実行されるプログラムなどを記憶するためのＲＯＭ（Read Only Memory）１１と、ＣＰＵ１０でプログラムを実行する際の作業領域として機能するためのＲＡＭ（Random Access Memory）１２と、図示しない原稿台に載置された原稿を光学的に読み取って画像データーを得るためのスキャナー１３と、画像データーを印刷用紙上に固定するためのプリンター１４と、情報を表示したり当該ＭＦＰ１００に対する操作入力を受け付けたりするためのタッチパネルを含んだ操作パネル１５と、画像データーをファイルとして保存するためのメモリー１６と、上記ネットワークを介した通信を制御するためのネットワークコントローラー１７とを含む。
【００３０】
操作パネル１５は、図示しないタッチパネルと操作キー群とを含む。タッチパネルは、液晶表示装置などの表示装置と光学式タッチパネルや静電容量タッチパネルなどの位置指示装置とが重なって構成され、操作画面を表示して、その操作画面上の指示位置を特定する。ＣＰＵ１０は予め記憶されている画面表示をさせるためのデーターに基づいてタッチパネルに操作画面を表示させる。
【００３１】
特定されたタッチパネル上での指示位置（タッチされた位置）や、押下されたキーを示す操作信号はＣＰＵ１０に入力される。ＣＰＵ１０は押下されたキー、または表示している操作画面と指示位置とから操作内容を特定し、それに基づいて処理を実行する。
【００３２】
＜携帯端末の構成＞
図３は、携帯端末３００のハードウェア構成の具体例を示す図である。
【００３３】
図３を参照して、携帯端末３００は、全体を制御するための演算装置であるＣＰＵ３０と、ＣＰＵ３０で実行されるプログラムなどを記憶するためのＲＯＭ３１と、ＣＰＵ３０でプログラムを実行する際の作業領域として機能するためのＲＡＭ３２と、画像データーをファイルとして記憶したり他の情報を記憶したりするためメモリー３３と、情報を表示したり当該携帯端末３００に対する操作入力を受け付けたりするためのタッチパネルを含んだ操作パネル３４と、図示しない基地局と通信することによる電話回線を介した通信を制御するための通信コントローラー３５と、上記ネットワークを介した通信を制御するためネットワークコントローラー３６とを含む。
【００３４】
操作パネル３４は、ＭＦＰ１００の操作パネル１５と同様の構成であってよい。すなわち、一例として、液晶表示装置などの表示装置と光学式タッチパネルや静電容量タッチパネルなどの位置指示装置とが重なって構成されたタッチパネルを含む。
【００３５】
ＣＰＵ３０は予め記憶されている画面表示をさせるためのデーターに基づいてタッチパネルに操作画面を表示させる。タッチパネルでは操作画面上の指示位置が特定され、その位置を示す操作信号がＣＰＵ３０に入力される。ＣＰＵ３０は表示している操作画面と指示位置とから操作内容を特定し、それに基づいて処理を実行する。
【００３６】
＜サーバーの構成＞
図４は、サーバー５００のハードウェア構成の具体例を示す図である。
【００３７】
図４を参照して、サーバー５００は上述のように一般的なコンピューター等によって構成されるものであり、一例として、全体を制御するための演算装置であるＣＰＵ５０と、ＣＰＵ５０で実行されるプログラムなどを記憶するためのＲＯＭ５１と、ＣＰＵ５０でプログラムを実行する際の作業領域として機能するためのＲＡＭ５２と、ファイルなどを記憶するためのＨＤ（Hard Disk）５３と、上記ネットワークを介した通信を制御するためのネットワークコントローラー５４とを含む。
【００３８】
＜動作概要＞
画像処理システムでは、ＭＦＰ１００と携帯端末３００との間で編集中の文書の範囲を「つまむ」操作で指定してドラッグし、「離す」操作を行なうことで、装置間で指定された範囲の文書データーが移動する。
【００３９】
詳しくは、ＭＦＰ１００と携帯端末３００とのうちの第１の装置で、ユーザーは、編集中の文書において「つまむ」操作で指定して範囲を転送対象の文書データーと特定した上で画面端までドラッグする。第２の装置の文書編集画面で、ユーザーが所定位置をタッチすることで上記「つまむ」操作で特定された文書データーが第２の装置の文書編集画面上の上記タッチ位置に表示される。そのタッチ位置から所望する位置までドラッグすることで、当該文書データーがドラッグに従って移動する。そして、所望する位置でユーザーが「離す」操作を行なうことで、その位置に当該文書データーが挿入される。
【００４０】
ここで、上述のつまむ操作および離す操作について説明する。
図５は、「つまむ」操作を説明するための図である。図５を参照して、「つまむ」操作とは、たとえば２本の指などを用いて操作パネル上の２点Ｐ１、Ｐ２を指定し、続いて、その位置から直線状または略直線状に指を近づけ、近づいた位置である２点Ｐ’１、Ｐ’２で２本の指を操作パネルから離す操作を指す。
【００４１】
ＣＰＵは、操作パネル上の２点Ｐ１、Ｐ２が同時に指示され、さらに、それぞれの位置から連続して直線状または略直線状に位置が変化し、元の２点間の間隔よりも短い間隔である２点Ｐ’１、Ｐ’２で両指定がほぼ同時に解除されたことが検出されると、「つまむ」操作がなされたと検出する。
【００４２】
図６は、「離す」操作を説明するための図である。図６を参照して、「離す」操作とは、たとえば２本の指などを用いて操作パネル上の２点Ｑ１、Ｑ２を指定し、続いて、その位置から直線状または略直線状に指を遠ざけ、ある程度離れた位置である２点Ｑ’１、Ｑ’２で２本の指を操作パネルから離す操作を指す。
【００４３】
ＣＰＵは、操作パネル上の２点Ｑ１、Ｑ２が同時に指示され、さらに、それぞれの位置から連続して直線状または略直線状に位置が変化し、元の２点間の間隔よりも長い間隔である２点Ｑ’１、Ｑ’２で両指定がほぼ同時に解除されたことが検出されると、「離す」操作がなされたと検出する。
【００４４】
図７は、第１の装置としての携帯端末３００での画面例を表わす図である。また、図８は、第２の装置としてのＭＦＰ１００での画面例を表わす図である。図７および図８を用いて、画像処理システムでの動作の流れを説明する。
【００４５】
図７を参照して、携帯端末３００において文書編集アプリケーションであるメモ帳アプリケーションが実行されている場合に、その表示画面においてたとえば文字列「ＡＡＡＡ」の表示位置に対してタッチ位置を連続して変化させる操作（なぞる操作）などを行なうことによって、文字列「ＡＡＡＡ」が指定される（図７（Ａ））。
【００４６】
その状態でつまむ操作がなされると、指定された文字列「ＡＡＡＡ」が転送データーとして確定される（図７（Ｂ））。
【００４７】
そして、指定された文字列「ＡＡＡＡ」の表示位置を基点として画面端までドラッグされると、その位置まで文字列「ＡＡＡＡ」がコピーされる（図７（Ｃ））。
【００４８】
その後、ＭＦＰ１００においてたとえばワード（登録商標）などの文書編集アプリケーションが実行されている状態で、携帯端末３００でドラッグされた画面端に対応した画面端がタッチされると、図８（Ａ）のように、その位置に、携帯端末３００で指定された文字列「ＡＡＡＡ」が表示される。その位置を基点としてドラッグされると、その位置まで文字列「ＡＡＡＡ」が移動して表示される（図８（Ｂ））。
【００４９】
そして、ドラッグの後に離す操作がなされると、文書編集アプリケーションの表示画面のドラッグの終端位置に相当するデーターの位置に、文字列「ＡＡＡＡ」が挿入されて表示される（図８（Ｃ））。
【００５０】
図９は、画像処理システムでの動作の流れを表わした図である。図９を用いて、画像処理システムでの動作の流れを説明する。
【００５１】
図９を参照して、ＭＦＰ１００と携帯端末３００とのうちの第１の装置（たとえば携帯端末３００とする）において文書編集中に、ステップＳ１１で文章中の領域が指定され、ステップＳ１２でつまむ操作が検出されると、ステップＳ１３で、上記ステップＳ１１で指定された領域の文書データーが転送データーとして確定される。
【００５２】
上記ステップＳ１１での領域の指定は、たとえば操作パネル３４上での連続してタッチ位置を移動させる操作（なぞる操作）でなされてもよいし、図示しないキーなどの入力装置が携帯端末３００に備えられる場合には当該入力装置を用いた操作でなされてもよい。
【００５３】
また、上記ステップＳ１２でのつまむ操作は指定された範囲の上でなされるものであってもよいし、関連のない位置でなされるものであってもよい。ここでは、ステップＳ１１での指定が有効なうちにつまむ操作が検出されていればよい。
【００５４】
ステップＳ１４で、上記ステップＳ１３で転送データーとして確定された領域を起点とし、その領域を画面端までドラッグする操作が検出されると、ステップＳ１５で、転送データー、ドラッグされた画面端の位置を表わす情報、および当該操作を行なったユーザー情報を含む情報が携帯端末３００からサーバー５００に対して送信される。
【００５５】
ユーザー情報としては、上記操作がなされたときの携帯端末３００へのログインユーザーについてのユーザー情報であってもよいし、予め当該携帯端末３００にユーザー情報が関連付けられている場合にはそのユーザー情報であってもよい。
【００５６】
上記ステップＳ１４でのドラッグは上記ステップＳ１２のつまむ操作から連続して２点のタッチ位置を移動させるものであってもよいし、上記ステップＳ１２のつまむ操作とは別に、改めてタッチ位置を定めて当該タッチ位置からなされるものであってもよい。
【００５７】
なお、以降の説明において、携帯端末３００でのつまむ操作および画面端までのドラッグ操作の検出に伴って携帯端末３００からサーバー５００に送信される情報を「つまむ情報」とも称する。つまむ情報には、上述のように転送データー、ドラッグされた画面端の位置を表わす情報、および当該操作を行なったユーザー情報が含まれ、さらに、つまむ操作が検出された日時を特定する情報などが含まれてもよい。
【００５８】
携帯端末３００から送信されたつまむ情報を受信したサーバーは、ステップＳ２１でつまむ情報をメモリー５５またはＨＤ５３の所定領域に格納する。
【００５９】
ステップＳ３１でＭＦＰ１００と携帯端末３００とのうちの第２の装置（この例ではＭＦＰ１００とする）の操作パネル１５上でタッチが検出されると、ステップＳ３２でＭＦＰ１００は、サーバーに対して当該操作を行なったユーザー情報とタッチ位置を特定する情報とを送信して、転送データーの転送を要求する。他の情報として、上記タッチが検出された際にＭＦＰ１００で実行されているアプリケーションを特定する情報が含まれてもよい。
【００６０】
ユーザー情報としては、上記操作がなされたときのＭＦＰ１００へのログインユーザーについてのユーザー情報であってもよいし、この操作が検出されたときにログイン処理を行なって得られたユーザー情報であってもよい。
【００６１】
この要求を受けたサーバー５００は、ステップＳ２２で認証処理を行なう。認証処理では、少なくとも、つまむ情報に含まれるユーザー情報と要求に含まれるユーザー情報とが一致が一致すること、および、つまむ情報で特定されるドラッグ位置と要求に含まれるタッチ位置とが予め規定された関係にあること、が認証される。他の認証として、ＭＦＰ１００で実行されているアプリケーションにおいてつまむ情報に含まれる転送データーが取り扱い可能なものであるか否かが認証されてもよい。
【００６２】
認証成功の場合、ステップＳ２３でサーバー５００からＭＦＰ１００に対して転送データーが転送される。サーバー５００では転送が完了すると上記ステップＳ２１で保存したつまむ情報を削除してもよい。
【００６３】
ステップＳ３３で、ＭＦＰ１００の操作パネル１５の上記ステップＳ３１でのタッチ位置に対応した位置に、転送データーである文書データーが表示される。ステップＳ３４で、文書データーが表示された位置を基点としたドラッグする操作が検出されると、ステップＳ３５でドラックされた先に文書データーを表示するよう、操作パネル１５の表示が更新される。
【００６４】
上記ステップＳ３４のドラッグは、上記ステップＳ３１のタッチから連続して行なわれてもよいし、上記ステップＳ３１のタッチとは別に、改めてタッチ位置を定めて当該タッチ位置からなされるものであってもよい。
【００６５】
そして、ステップＳ３６でドラッグの後に離す操作が検出されると、ステップＳ３７で、ＭＦＰ１００で処理中であるデーターの、当該ドラッグの最終位置に相当する位置に転送データーである文書データーが挿入される。
【００６６】
＜機能構成＞
図１０は、上記動作を行なうための、携帯端末３００の機能構成の具体例を示すブロック図である。図１０に示される各機能は、ＣＰＵ３０がＲＯＭ３１に記憶されるプログラムを読み出してＲＡＭ３２上で実行することで、主にＣＰＵ３０上に形成される機能である。しかしながら、少なくとも一部の機能が図３に示されたハードウェア構成によって処理されてもよい。
【００６７】
図１０を参照して、携帯端末３００のＣＰＵ３０は、操作パネル３４での指示を示す操作信号の入力を受け付けるための入力部３０１と、操作信号に基づいて領域を指定する動作や、上述のつまむ操作や、ドラッグする操作などを検出するための検出部３０２と、つまむ操作および画面端までドラッグする操作の検出に応じて上述のつまむ情報を特定するための特定部３０３と、つまむ操作およびドラッグする操作に応じて操作パネル３４での表示を更新する処理を実行するための表示部３０４と、予めサーバー５００へのアクセス情報を記憶して特定されたつまむ情報をサーバー５００に対して送信するための送信部３０５とを含む。
【００６８】
特定部３０３は、検出部３０２で操作パネル３４上で上述のつまむ操作がなされたことが検出されると、たとえばメモ帳やワード（登録商標）などの文書作成アプリケーションが実行中であって、その表示画面上でなぞる操作などがなされて文書データーが指定されているか否かを確認する。そして、文書データーが指定されていると、その文書データーを転送データーとして特定する。
【００６９】
転送データーが特定された状態で検出部３０２でドラッグする操作が検出されると、表示部３０４は、転送データーとして特定された文書データーの表示位置を当該ドラッグに応じて更新する。
【００７０】
転送データーが特定された状態で検出部３０２で画面端までドラッグする操作が検出されると、特定部３０３は転送データーを含むつまむ情報を特定する。ここでの画面端は、表示画面の端から所定範囲内であってもよい。
【００７１】
つまむ情報は、上述のように、少なくとも転送データーとドラッグされた画面端の位置を表わす情報と当該操作を行なったユーザー情報とを含む。ドラッグされた画面端の位置を表わす情報には、表示画面を矩形とすると、ドラッグの終端の最も近い画面の辺を特定する情報が該当する。ユーザー情報は、たとえば図示しない認証部からログインユーザーに関する情報を取得してもよい。
【００７２】
図１１は、上記動作を実行するためのＭＦＰ１００の機能構成の具体例を示すブロック図である。図１１に示される各機能は、ＣＰＵ１０がＲＯＭ１１に記憶されるプログラムを読み出してＲＡＭ１２上で実行することで、主にＣＰＵ３０上に形成される機能である。しかしながら、少なくとも一部の機能が図２に示されたハードウェア構成によって処理されてもよい。
【００７３】
図１１を参照して、ＭＦＰ１００のＣＰＵ１０は、操作パネル１５での指示を示す操作信号の入力を受け付けるための入力部１０１と、操作信号に基づいてタッチする操作や、上述の離す操作や、ドラッグする操作などを検出するための検出部１０２と、画面端をタッチする操作の検出に応じてネットワークコントローラー１７を介してサーバー５００に対してユーザー情報およびタッチされた位置を特定する情報を送信して転送データーの転送を要求するための要求部１０３と、ネットワークコントローラー１７を介してサーバー５００より送信された転送データーを受信するための受信部１０４と、ドラッグする操作および離す操作の検出に応じて転送データーを挿入する位置を特定し、当該位置に転送データーを挿入する処理を実行するための処理部１０６と、ドラッグする操作の検出に応じて転送データーの操作パネル１５上での表示を更新する処理を行なうための表示部１０５とを含む。
【００７４】
要求部１０３は、たとえばメモ帳やワード（登録商標）などの文書作成アプリケーションが実行中であって、検出部１０２でその表示画面の端部でのタッチする操作が検出されると、その位置を特定する情報、およびユーザー情報をサーバー５００に対して送信する。ここでの画面端は、表示画面の端から所定範囲内であってもよい。
【００７５】
処理部１０６は、検出部１０２で転送データーをドラッグする操作の後に離す操作が検出されると、操作パネル１５の表示内容に基づいて、実行中のアプリケーションで処理対象のデーター上のドラッグの終端位置に対応した位置を特定し、その位置に、転送データーを挿入する処理を実行する。
【００７６】
図１２は、上記動作を実行するためのサーバー５００の機能構成の具体例を示すブロック図である。図１２に示される各機能は、ＣＰＵ５０がＲＯＭ５１に記憶されるプログラムを読み出してＲＡＭ５２上で実行することで、主にＣＰＵ５０上に形成される機能である。しかしながら、少なくとも一部の機能が図４に示されたハードウェア構成によって処理されてもよい。
【００７７】
図１２を参照して、サーバー５００のＣＰＵ５０は、ネットワークコントローラー５４を介して携帯端末３００から送信されたつまむ情報の入力を受け付けるための入力部５０１と、入力されたつまむ情報をメモリー５５の所定領域に格納するための格納部５０２と、ネットワークコントローラー５４を介してＭＦＰ１００から転送データーの転送の要求を受信するための要求受信部５０３と、当該要求に含まれる情報とつまむ情報に含まれる情報とを用いて認証処理を行なうための認証部５０４と、認証成功の場合につまむ情報に含まれる転送データーをネットワークコントローラー５４を介してＭＦＰ１００に転送するための転送部５０５とを含む。
【００７８】
上述のように、つまむ情報には転送データーに併せて、ドラッグされた画面端の位置を表わす情報、および当該操作を行なったユーザー情報が含まれる。また、上述のように、ＭＦＰ１００からの転送データーの要求には、ユーザー情報とタッチ位置を特定する情報とが含まれる。
【００７９】
認証部５０４では、これら情報を用いて、ユーザー認証と転送適否の認証とを行なう。
認証部５０４でのユーザー認証の一例として、これらユーザー情報に示されるユーザーが一致する場合にユーザー認証成功としてもよいし、つまむ情報に含まれるユーザー情報の示すユーザーと転送データーの要求に含まれるユーザー情報の示すユーザーとの属するグループが予め記憶している同一のグループに属している場合にユーザー認証成功としてもよい。その他、一般的なユーザー認証であってよい。
【００８０】
転送適否の認証として、認証部５０４は、つまむ情報に含まれる情報の示すドラッグされた画面端の位置と、転送データーの要求に含まれる情報の示すタッチされた画面端の位置とが、予め規定された位置関係であるか否かを判断し、予め規定された位置関係である場合に認証成功とする。
【００８１】
この認証を行なうため、認証部５０４は、つまむ情報に含まれる情報の示すドラッグされた画面端の位置と転送データーの要求に含まれる情報の示すタッチされた画面端の位置と関係、つまり、転送元装置でのドラッグ終端位置と転送先装置でのタッチ位置との関係を予め規定する情報を記憶している。
【００８２】
なお、認証部５０４では、その他の認証として、たとえば、つまむ情報につまむ操作が行なわれた日時を特定する情報が含まれる場合、転送データーの要求がその日時から所定期間内になされたことを認証するようにしてもよい。なお、上記日時から所定期間内に転送データーの要求がなされなかった場合には、ＣＰＵ５０は、メモリー５５に格納されたつまむ情報を削除するようにしてもよい。
【００８３】
図１３は、転送元装置でのドラッグ終端位置と転送先装置でのタッチ位置との関係の、具体例を示す図である。図１３に示される例では、転送元装置で画面左端まで転送データーがドラッグされて、転送先装置の画面右端がタッチされると、転送先装置の画面右端に転送データーが表示されることが示されている。また、転送元装置で画面右端まで転送データーがドラッグされて、転送先装置の画面左端がタッチされると、転送先装置の画面左端に転送データーが表示されることが示されている。また、転送元装置で画面上端まで転送データーがドラッグされて、転送先装置の画面上端がタッチされると、転送先装置の画面上端に転送データーが表示されることが示されている。また、転送元装置で画面下端まで転送データーがドラッグされて、転送先装置の画面下端がタッチされると、転送先装置の画面下端に転送データーが表示されることが示されている。
【００８４】
図１３の例は一例であるが、このような関係が規定されることで、２台の装置それぞれの表示画面が連続したもののような位置関係での操作が可能となる。
【００８５】
認証部５０４は、つまむ情報に含まれる情報の示すドラッグされた画面端の位置と、転送データーの要求に含まれる情報の示すタッチされた画面端の位置とが、一例として図１３の関係を満たしている場合に、転送適否の認証成功とする。
【００８６】
そして、ユーザー認証、転送適否の認証ともに成功の場合、転送部５０５はつまむ情報に含まれる転送データーをＭＦＰ１００に転送する。
【００８７】
＜動作フロー＞
図１４は、携帯端末３００での動作の流れを表わすフローチャートである。図１４のフローチャートに示される動作は、ＣＰＵ３０がＲＯＭ３１に記憶されるプログラムを読み出してＲＡＭ３２上で実行し、図１０の各機能を発揮させることによって実現される。
【００８８】
図１４を参照して、ＣＰＵ３０が操作パネル３４上でつまむ操作がなされたことを検出すると（ステップＳ１０１でＹＥＳ）、メモ帳やワード（登録商標）などの文書作成アプリケーションを実行中であって、その処理対象の文書データーのうちの少なくとも一部の文書データーが指定された状態であるか否かを確認する。
【００８９】
つまむ操作が検出された際に文書データーが指定されていると（ステップＳ１０３でＹＥＳ）、ステップＳ１０５でＣＰＵ３０は、文書データーの指定された部分を転送対象のデーターと特定する。
【００９０】
操作パネル３４上で、特定された文書データーの表示位置を起点としてドラッグする操作がされると（ステップＳ１０７でＹＥＳ）、ステップＳ１０９でＣＰＵ３０は、そのタッチ位置に特定された文書データーが表示されるように、操作パネル３４上の画面表示を更新する。
【００９１】
ドラッグが進んで画面端まで達したことが検出されると（ステップＳ１１１でＹＥＳ）、ステップＳ１１３でＣＰＵ３０は特定された文書データーとドラッグの終端である画面端を表わす情報と当該操作を行なったユーザー情報とを含むつまむ情報を特定し、サーバー５００に対して送信する。
【００９２】
図１５は、ＭＦＰ１００での動作の流れを表わすフローチャートである。図１５のフローチャートに示される動作は、ＰＣＵ１０がＲＯＭ１１に記憶されるプログラムを読み出してＲＡＭ１２上で実行し、図１１の各機能を発揮させることによって実現される。
【００９３】
図１５を参照して、メモ帳やワード（登録商標）などの文書作成アプリケーションを実行中であって、その表示画面が表示されている操作パネル１５上でのタッチ操作が検出されると（ステップＳ２０１でＹＥＳ）、ステップＳ２０３でＣＰＵ１０は、サーバー５００に対して転送データーの要求を行なう。このとき、ＣＰＵ１０は、タッチ位置を特定する情報および当該操作を行なったユーザーを特定する情報をサーバー５００に対して送信する。
【００９４】
この要求に応じてサーバー５００から文書データーが転送されてくると（ステップＳ２０５でＹＥＳ）、ステップＳ２０７でＣＰＵ１０は、タッチ位置に転送されたデーターを表示させる。
【００９５】
なお、タッチ操作が検出された際に文書作成アプリケーションが実行されていない場合、タッチ操作の検出に応じて自動的にアプリケーションが起動されてもよい。または、サーバー５００から文書データーが転送されてきたタイミングで文書作成アプリケーションが起動されてもよい。また、タッチ操作が検出された際にユーザー認証がなされていない場合、たとえばそのタイミングで入力画面を表示させるなどして、ユーザー認証を行なうようにしてもよい。
【００９６】
転送データーの表示位置を起点としてドラッグする操作がされると（ステップＳ２０９でＹＥＳ）、ステップＳ２１１でＣＰＵ１０は、そのタッチ位置に転送データーが表示されるように、操作パネル１５上の画面表示を更新する。
【００９７】
上記アプリケーション実行中の画面において離す操作がなされたことが検出されると（ステップＳ２１３でＹＥＳ）、ステップＳ２１５でＣＰＵ１０は、転送データーを、当該アプリケーションでの処理対象の文書データー上の、上記ステップＳ２０７または上記ステップＳ２１１での表示位置に該当する位置に挿入する。
【００９８】
なお、上記ステップＳ２１３で離す操作が検出された際、ＣＰＵ１０は、離す操作がなされた旨をサーバー５００に通知するようにしてもよい。この通知をトリガとして、後述するように、サーバー５００においてつまむ情報の削除を行なうことができる。
【００９９】
図１６は、サーバー５００での動作の流れを表わすフローチャートである。図１６のフローチャートに示される動作は、ＰＣＵ５０がＲＯＭ５１に記憶されるプログラムを読み出してＲＡＭ５２上で実行し、図１２の各機能を発揮させることによって実現される。
【０１００】
図１６を参照して、携帯端末３００からのつまむ情報を受信すると（ステップＳ３０１でＹＥＳ）、ステップＳ３０３でＣＰＵ５０は、メモリー５５の所定領域につまむ情報を格納する。
【０１０１】
その後、ＭＦＰ１００から転送データーの要求を受け付けると（ステップＳ３０５でＹＥＳ）、ステップＳ３０７でＣＰＵ５０は、当該要求に含まれる情報に基づいて対象のつまむ情報をメモリー５５から抽出して、そのつまむ情報に含まれる情報を用いて認証処理を行なう。
【０１０２】
ここでは、一例として、これら情報に示されるユーザーが一致するか、および、携帯端末３００でのドラッグの終端である画面端とＭＦＰ１００でのタッチ位置である画面端との位置関係が図１３に示されたような関係を満たしているか、などを確認する。
【０１０３】
ステップＳ３０７での認証が成功だった場合（ステップＳ３０９でＹＥＳ）、ステップＳ３１１でＣＰＵ５０は、つまむ情報に含まれる転送データーをＭＦＰ１００に対して転送する。
【０１０４】
その後にＭＦＰ１００から離す操作が検出された旨が通知された場合（ステップＳ３１３でＹＥＳ）、ステップＳ３１５でＣＰＵ５０は、上記ステップＳ３１１で転送したデーターを含むつまむ情報をメモリー５５の所定領域から削除する。なお、この削除は、上記ステップＳ３１１でデーターを転送した後になされてもよいし、上記ステップＳ３０３でつまむ情報をメモリー５５に格納してから所定期間後に自動的になされてもよい。
【０１０５】
＜実施の形態の効果＞
画像処理システムにおいて以上の動作がなされることで、複数の装置の間で操作パネルを用いた直感的で容易な操作でデーターのやり取りを行なうことができる。
【０１０６】
特に、図１３に示されたような位置関係を利用することで、複数の装置の表示画面があたかも１つの画面上にあるように、連続的で直感的な操作でデーターの転送、貼り付けを行なうことができる。
【０１０７】
＜変形例１＞
なお以上の例では、サーバー５００でのユーザー情報およびタッチ位置の位置関係に基づく認証に成功の場合、いずれの装置に対しても指定されたデーターが転送されることになる。
【０１０８】
つまむ操作の後の画面端までドラッグする操作でのドラッグの終端を認証に用いる他の例として、終端と転送先とする装置とを対応付けてもよい。
【０１０９】
この場合、サーバー５００は、図１３に示された関係に替えて、図１７に示された関係を記憶している。図１７は、第１の変形例での、転送元装置でのドラッグ終端位置と転送先装置との関係の、具体例を示す図である。また、図１８は、ドラッグ終端位置と転送先装置との関係を模式的に表わす図である。
【０１１０】
図１７および図１８に示される例では、転送元装置で画面左端まで転送データーがドラッグされると、転送先として機器２が特定されることが示されている。また、転送元装置で画面右端まで転送データーがドラッグされると、転送先として機器４が特定されることが示されている。また、転送元装置で画面上端まで転送データーがドラッグされると、転送先として機器３が特定されることが示されている。また、転送元装置で画面下端まで転送データーがドラッグされると、転送先として機器５が特定されることが示されている。
【０１１１】
サーバー５００は、つまむ情報に示されるドラッグの終端位置と、転送データーの要求を行なった装置との関係が図１７および図１８に示される関係を満たす場合に、認証成功としてつまむ情報に含まれるデーターを当該装置に対して転送する。なお、この場合、ユーザー認証が行なわれなくてもよい。
【０１１２】
このようにすることによっても、複数の装置の間で操作パネルを用いた直感的で容易な操作で、転送先の装置を容易に指定してデーターのやり取りを行なうことができる。
【０１１３】
なお、変形例１に示された図１７の関係と上に説明された図１３の関係とを組み合わせてもよい。すなわち、指定された装置の対応した位置がタッチされた場合にデーターが転送されて、その位置に表示されるようにしてもよい。このようにすることで、さらに、直感的にデーターの転送を行なうことができる。
【０１１４】
＜変形例２＞
なお、以上の例では、一例として、転送元の装置を携帯端末３００、転送先の装置をＭＦＰ１００として説明しているが、その逆、つまり、転送元の装置がＭＦＰ１００、転送先の装置が携帯端末３００であってもよい。または、異なる２台の携帯端末の間や、異なる２台のＭＦＰの間でなされてもよい。
【０１１５】
また、以上の説明では、サーバー５００を介して転送データーが２つの装置の間を転送されるものとしているが、サーバー５００の機能をいずれかの装置が備える場合、２つの装置間のみでデーターが転送されてもよい。一例としてＭＦＰ１００がサーバー５００の機能を含んでもよい。
【０１１６】
また、以上の説明では、一例として、画面端をドラッグの終端、およびタッチ位置として用いているが、画面端には限定されず、画面上の特定の領域が用いられればよい。他の例として、角部や、中央付近などが用いられてもよい。
【０１１７】
さらに、ＭＦＰ１００、携帯端末３００、およびサーバー５００に上述の動作を実行させるためのプログラムを提供することもできる。このようなプログラムは、コンピューターに付属するフレキシブルディスク、ＣＤ−ＲＯＭ（Compact Disk-Read Only Memory）、ＲＯＭ、ＲＡＭおよびメモリカードなどのコンピューター読み取り可能な記録媒体にて記録させて、プログラム製品として提供することもできる。あるいは、コンピューターに内蔵するハードディスクなどの記録媒体にて記録させて、プログラムを提供することもできる。また、ネットワークを介したダウンロードによって、プログラムを提供することもできる。
【０１１８】
なお、本発明にかかるプログラムは、コンピューターのオペレーティングシステム（ＯＳ）の一部として提供されるプログラムモジュールのうち、必要なモジュールを所定の配列で所定のタイミングで呼出して処理を実行させるものであってもよい。その場合、プログラム自体には上記モジュールが含まれずＯＳと協働して処理が実行される。このようなモジュールを含まないプログラムも、本発明にかかるプログラムに含まれ得る。
【０１１９】
また、本発明にかかるプログラムは他のプログラムの一部に組込まれて提供されるものであってもよい。その場合にも、プログラム自体には上記他のプログラムに含まれるモジュールが含まれず、他のプログラムと協働して処理が実行される。このような他のプログラムに組込まれたプログラムも、本発明にかかるプログラムに含まれ得る。
【０１２０】
提供されるプログラム製品は、ハードディスクなどのプログラム格納部にインストールされて実行される。なお、プログラム製品は、プログラム自体と、プログラムが記録された記録媒体とを含む。
【０１２１】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【０１２２】
１０，３０，５０  ＣＰＵ、１１，３１，５１  ＲＯＭ、１２，３２，５２  ＲＡＭ、１３  スキャナー、１４  プリンター、１５，３４  操作パネル、１６，３３，５５  メモリー、１７，３６，５４  ネットワークコントローラー、３５  通信コントローラー、１０１，３０１，５０１  入力部、１００  ＭＦＰ、１０２，３０２  検出部、１０３  要求部、１０４  受信部、１０５，３０４  表示部、１０６  処理部、３００  携帯端末、３０３  特定部、３０５  送信部、５００  サーバー、５０２  格納部、５０３  要求受信部、５０４  認証部、５０５  転送部、７００  アクセスポイント。
【図１】
2013020412.tif 000003
【図２】
2013020412.tif 000004
【図３】
2013020412.tif 000005
【図４】
2013020412.tif 000006
【図５】
2013020412.tif 000007
【図６】
2013020412.tif 000008
【図７】
2013020412.tif 000009
【図８】
2013020412.tif 000010
【図９】
2013020412.tif 000011
【図１０】
2013020412.tif 000012
【図１１】
2013020412.tif 000013
【図１２】
2013020412.tif 000014
【図１３】
2013020412.tif 000015
【図１４】
2013020412.tif 000016
【図１５】
2013020412.tif 000017
【図１６】
2013020412.tif 000018
【図１７】
2013020412.tif 000019
【図１８】
2013020412.tif 000020